(57)【要約】【課題】  所定のネジより長いネジなどが電子機器のキャビネットに誤って挿入されることを防止すると共に、感電や故障などの不具合を回避することが可能なネジの誤挿入防止構造を備えた電子機器を提供する。【解決手段】  電子機器のキャビネットにネジにより固定される端子を備え、端子に設けられたネジ孔をキャビネットに取り付けられたネジ誤挿入防止部品により覆って設ける。これにより、所定の長さより長い長ネジなどの長尺物などが、誤ってキャビネットに形成された孔部からキャビネット内に挿入されたとしても、ネジ誤挿入防止部品に突き当たりその進入を阻止することができる。【選択図】  図８
2006046362.tif 000002
【特許請求の範囲】
【請求項１】
電子機器のキャビネットに形成された孔部と、この孔部に挿入されたネジにより固定される端子とを備え、前記孔部に挿通すると共に前記端子に形成されたネジ孔に前記ネジを螺合させ前記キャビネットに前記端子を固定する電子機器であって、前記ネジ孔を前記キャビネットに取り付けられたネジ誤挿入防止部品により覆って設けたことを特徴とするネジの誤挿入防止構造を備えた電子機器。
【請求項２】
前記キャビネットに前記ネジ誤挿入防止部品を回動自在に枢支すると共にこのネジ誤挿入防止部品がその自重により水平に配置され、前記キャビネットに枢支された側と水平方向の反対側に位置するネジ誤挿入防止部品の壁部を滑らかな円弧状に形成させ、前記電子機器に前記キャビネットを近接させ組み付ける際、前記滑らかな円弧状をなす壁部が、前記キャビネット内に固定された前記端子に接触されるように配置し、前記キャビネットの組み付け完了時に、前記ネジ誤挿入防止部品が自重により水平に配置されると共に、前記キャビネットの孔部とネジ誤挿入防止部品の孔、及び前記端子のネジ孔が対向されると共に、前記ネジ孔にネジが螺合されるその延長線上に前記ネジ誤挿入防止部品の前記壁部を配置したことを特徴とする請求項１記載のネジの誤挿入防止構造を備えた電子機器。
【発明の詳細な説明】
【技術分野】
【０００１】
本発明は、ビスの誤挿入防止構造を備えた電子機器に係わるものであり、特に、所定の長さ以上のビスなどを取り付けられないようにして、電子機器の故障やそのユーザーが感電することを防ぐことができるビスの誤挿入防止構造を備えた電子機器に関する。
【背景技術】
【０００２】
従来から用いられている電子機器は、一般的に、電子機器内に種々の電子部品が比較的多く備えられており、ネジなどの導電性を有する金属部材が、電子部品に接触してしまうと部品が破損してしまい、或いは、電子機器が通電状態であれば、短絡や感電などの懸念すらあった。また、例えば、図１０に示す従来の電子機器においては、端子１００などの部品を固定する際、電子機器１０１のキャビネット１０２に形成されている挿通孔１０３を介して端子１００がネジ止めされるものがあり、主にネジ１０４の先端がその後側に備えられた各種電子部品と接触して、これら電子部品が破損し、電子機器１０１が故障してしまうことを回避するために絶縁性を有する例えば樹脂などのバリア１０５を基板１０６上に立設させ、基板１０６や電子部品に接触してしまうことを防止するものがあった。また、特許文献１および特許文献２などにおいては、所定のネジの長さより長いネジを電子機器のネジ孔に挿入した際、所定の位置以上にネジの進入を防止し、ネジが電子機器内の基板や種々の電子部品に接触しないようにしたものが開示されている。
【０００３】
【特許文献１】特開平１１−２９４４３６号公報
【特許文献２】特開平８−１７０６１２号公報
【発明の開示】
【発明が解決しようとする課題】
【０００４】
しかし、上記図１０に示す背景技術においては、所定の長さより長いネジ１０４が挿通孔１０３に挿入され端子１００をネジ止め固定しようとすると、ネジ１０４の先端がバリア１０５に接触されるので、そのバリア１０５の反対側に配置されている他の部品にネジ１０４が接触することは回避することができるものの、例えば、電子機器１０１の組み立て完了近くになり、全体を覆うキャビネット１０２により電子機器１０１の全体を覆ってしまおうとしている際には、基板１０６にバリア１０５の取り付け忘れがあった際、一目してもバリア１０５が取り付けられているか否かが容易に解からなくなってしまう。さらに、基板１０６に樹脂のバリア１０５が立設され固定されているものでは、通常ネジ１０４は、金属製であることから、ネジ１０４をネジ込んだ際の圧力により、バリア１０５が突き破られたり、その圧力に耐え切れずバリア１０５が傾いてしまい、ネジ１０４の先端がバリア１０５を乗り越えてしまう可能性がある。
【０００５】
本発明は上記課題を鑑みてなされたものであり、所定のネジより長いネジなどが電子機器のキャビネットに誤って挿入されることを防止すると共に、感電や故障などの不具合を回避することが可能なネジの誤挿入防止構造を備えた電子機器を提供することをその目的とする。
【課題を解決するための手段】
【０００６】
請求項１に係るネジの誤挿入防止構造を備えた電子機器は、電子機器のキャビネットに形成された孔部と、この孔部に挿入されたネジにより固定される端子とを備え、前記孔部に挿通すると共に前記端子に形成されたネジ孔に前記ネジを螺合させ前記キャビネットに前記端子を固定する電子機器であって、前記ネジ孔を前記キャビネットに取り付けられたネジ誤挿入防止部品により覆って設けたことを特徴とする。
【０００７】
請求項１の構成によれば、ネジ誤挿入防止部品が端子に形成されたネジ孔を覆っているので、例えば所定の長さより長いネジなどの長尺物などが、誤ってキャビネットの孔部からキャビネット内に挿入されたとしても、ネジ誤挿入防止部品に突き当たりその進入を阻止することができると共に、電子機器を長期間使用しても端子への埃などの堆積を防止できる。
【０００８】
請求項２に係るネジの誤挿入防止構造を備えた電子機器は、請求項１記載のネジの誤挿入防止構造を備えた電子機器において、前記キャビネットに前記ネジ誤挿入防止部品を回動自在に枢支すると共にこのネジ誤挿入防止部品がその自重により水平に配置され、前記キャビネットに枢支された側と水平方向の反対側に位置するネジ誤挿入防止部品の壁部を滑らかな円弧状に形成させ、前記電子機器に前記キャビネットを近接させ組み付ける際、前記滑らかな円弧状をなす壁部が、前記キャビネット内に固定された前記端子に接触されるように配置し、前記キャビネットの組み付け完了時に、前記ネジ誤挿入防止部品が自重により水平に配置されると共に、前記キャビネットの孔部とネジ誤挿入防止部品の孔、及び前記端子のネジ孔が対向されると共に、前記ネジ孔にネジが螺合されるその延長線上に前記ネジ誤挿入防止部品の前記壁部を配置したことを特徴とする。
【０００９】
請求項２の構成によれば、キャビネットを電子機器の所定の位置に組み付ける際、キャビネットに回動自在に枢支されているネジ誤挿入防止部品の壁部が端子に接触されると、自重により水平に配置されているネジ誤挿入防止部品が可動される。この時、ネジ誤挿入防止部品の壁部が滑らかな円弧状に形成されているから、スムーズにネジ誤挿入防止部品が可動される。そして、電子機器にキャビネットの組み付け完了時に、ネジ誤挿入防止部品が自重により可動され元の位置に戻ると、キャビネットの孔部、ネジ誤挿入防止部品の孔、及び前記端子のネジ孔のそれぞれが対向する。これにより、キャビネットの孔部から挿入されたネジが前記ネジ誤挿入防止部品の前記孔を介して前記端子の前記ネジ孔に固定することができる。従って、キャビネットが所定の位置に組み付けられていないと、キャビネットの孔部、ネジ誤挿入防止部品の孔、及び端子のネジ孔の夫々が対向した位置に配置されないので、キャビネットの孔部からネジが挿入されても、ネジがスムーズに挿入されていかないので、キャビネットが所定の位置に組み付けられていないことを、いちいち目視によりキャビネットの組み付け状態を確認することが不要となる。さらに、キャビネットの孔部からネジが挿入されネジ孔にネジが螺合される際、その延長線上に前記ネジ誤挿入防止部品の前記壁部を配置しているから、キャビネットの孔部から所定の長さより長いネジや長尺物が挿入されても壁部に突き当たり、その進入を防止することができる。
【発明の効果】
【００１０】
請求項１に係るネジの誤挿入防止構造を備えた電子機器の発明によれば、電子機器のキャビネットに形成された孔部と、この孔部に挿入されたネジにより固定される端子とを備え、前記孔部に挿通すると共に前記端子に形成されたネジ孔に前記ネジを螺合させ前記キャビネットに前記端子を固定する電子機器であって、前記ネジ孔を前記キャビネットに取り付けられたネジ誤挿入防止部品により覆って設けたから、長さより長いネジなどの長尺物などが、誤ってキャビネットの孔部からキャビネット内に挿入されたとしても、ネジ誤挿入防止部品に突き当たりその進入を阻止することができると共に、電子機器を長期間使用しても端子への埃などの堆積を防止できる。従って、埃の堆積などに伴う漏電等を回避することができると共に電子機器のキャビネット内に所定の長さより長いネジなどの進入を防止できるので、故障を軽減させ且つ安全性に優れた電子機器を提供することができる。
【００１１】
請求項２に係るネジの誤挿入防止構造を備えた電子機器の発明によれば、請求項１において、前記キャビネットに前記ネジ誤挿入防止部品を回動自在に枢支すると共にこのネジ誤挿入防止部品がその自重により水平に配置され、前記キャビネットに枢支された側と水平方向の反対側に位置するネジ誤挿入防止部品の壁部を滑らかな円弧状に形成させ、前記電子機器に前記キャビネットを近接させ組み付ける際、前記滑らかな円弧状をなす壁部が、前記キャビネット内に固定された前記端子に接触されるように配置し、前記キャビネットの組み付け完了時に、前記ネジ誤挿入防止部品が自重により水平に配置されると共に、前記キャビネットの孔部とネジ誤挿入防止部品の孔、及び前記端子のネジ孔が対向されると共に、前記ネジ孔にネジが螺合されるその延長線上に前記ネジ誤挿入防止部品の前記壁部を配置したものであり、キャビネットが所定の位置に組み付けられていないと、キャビネットの孔部、ネジ誤挿入防止部品の孔、及び端子のネジ孔の夫々が対向した位置に配置されないようになっているから、キャビネットの孔部からネジが挿入されても、ネジがスムーズに挿入されていかないので、いちいち目視によりキャビネットの組み付け状態を確認する必要がないので、取り付け作業を効率的におこなうことができるので作業性に優れ生産効率が向上する。さらに、壁部を配置しているから、キャビネットの孔部から所定の長さより長いネジや長尺物が挿入されても壁部に突き当たり、その進入を防止することができる。
【発明を実施するための最良の形態】
【００１２】
以下、本発明を実施するための最良の形態としての実施例を図１〜図９により以下に説明する。もちろん、本発明は、その発明の趣旨に反しない範囲で、実施例において説明した以外の構成のものに対しても容易に適用可能なことは説明を要するまでもない。
【００１３】
図１に示す１は、本実施例における電子機器のキャビネットに着脱自在に取り付け可能なネジ誤挿入防止部品であり、図１の（ａ）はその正面図、図１の（ｂ）は左側面図、図１の（ｃ）は背面図、図１の（ｄ）は平面図、図１の（ｅ）は底面図である。なお、その説明の便宜上、正面図側を前側、背面図側を後側として以下に説明する。また、図２は、電子機器２の外形を形成するキャビネットに一体に形成されているリブにネジ誤挿入防止部品１が回動自在に枢支されている状態を示す上方から視た状態を示す図であり、図３〜図５は、所定の位置にキャビネットを組み付けする工程を示す説明図であり、また、図６はネジ誤挿入防止部品の縦断面図であり、図７は側面断面図である。また、図８は、キャビネットの組み付け状態を示す断面図であり、図９は端子の正面図である。
【００１４】
本実施例の一例における電子機器２は、キャビネット３により覆われており、このキャビネット３には、縦方向に立設された立設部３Ａを有し、このキャビネット３に形成されている水平に形成された孔部４Ａに、端子５に一体に形成されている円筒型の接続部６が挿通され孔部４Ａからキャビネット３の外側に突出されるように構成されている。
【００１５】
また、端子５は、キャビネット３内の図示しないシャーシなどにネジ止め固定された回路基板７の上部に実装されていて、さらにその上部には上方に突設された凸部８が一体に形成され、ネジ誤挿入防止部品１の開口部１０がこの凸部８を覆って設けられるようになっている。なお、本実施例における端子５は、テレビ受像機に組み込まれたビデオテープレコーダやＤＶＤプレーヤなどの外部の映像機器と接続するための音声端子や映像端子であって、音声端子は一般に図９（ａ）で示すようなＲＣＡピンジャックが使用され、映像端子は仕様によってＲＣＡピンジャックや図９（ｂ）で示すようなＤ端子、図９（ｃ）で示すようなＳ端子などの各種タイプが存在する。そして、これらの端子５の凸部８には、キャビネット３あるいは端子パネルなどの取付面に固定するためのネジ孔２０が形成されている。
【００１６】
ところで、ネジ誤挿入防止部品１は、その下方に開口した開口部１０を有する略箱形状となっていると共に、図６及び図７に示すようにその断面形状がコ字型になっている。また、ネジ誤挿入防止部品１の両側壁部１１，１１の前側には、半球型の一対の突起部１２，１２が一体に形成されている。また、ネジ誤挿入防止部品１の前側壁部１３には孔１４が形成されると共に、この孔１４に対向するこの前側壁部１３の反対側に位置する後側壁部１５にはネジ受け凹部１６が形成され、キャビネット３の外側から孔１４に所定の長さより長い長ネジ２１などが誤って挿入された際に、この所定の長さより長ネジ２１の先端が後側壁部１５に突き当たり、より詳しくは後側壁部１５に形成されたネジ受け凹部１６に突き当たり、この長ネジ２１がキャビネット３内の奥の方に挿入され図示しない各種電子部品などに接触されることがないように遮断できるようになっている。
【００１７】
また、前記後側壁部１５の下側は、図１の（b）に示すように、滑らかな円弧状に形成されていて、図２に示すように、キャビネット３に一体に形成されているリブ１７の係合孔１７Ａにネジ誤挿入防止部品１の突起部１２，１２を嵌合させると共に、接続部６をキャビネット３の孔部４Ａから突出させて配置するために、図４に示すように、キャビネット３を水平方向に移動させ電子機器２に組み付けする際、端子５の凸部８が後側壁部１５に接触されると、ネジ誤挿入防止部品１がキャビネット３のリブ１７に回動自在に枢支されていることにより、図４に示すように、ネジ誤挿入防止部品１の前側の突起部１２，１２を支点として、ネジ誤挿入防止部品１の後側が押し上げられ可動されるので、自重により水平に配置されているネジ誤挿入防止部品１をわざわざ手作業で持ち上げる煩わしい作業を行わなくて済むので、スムーズ且つ短時間で電子機器１へのキャビネット３の組み付け作業を行えるようになっている。
【００１８】
次に、上記構成に係るその作用について説明する。図２に示すように、キャビネット３のリブ１７に形成されている係合孔１７Ａ，１７Ａにネジ誤挿入防止部品１の突起部１２，１２を嵌合させると、突起部１２，１２を支点としてネジ誤挿入防止部品１はキャビネット３に回動自在に枢支される。この時、ネジ誤挿入防止部品１の自重および前側壁部１３の一部位がキャビネット３の壁面に接触され、ネジ誤挿入防止部品１がほぼ水平に配置される。そして、次に、図３に示すキャビネット３の取り付け前の状態から、キャビネットを所定の位置に取り付けるため、図４に示すように、キャビネット３を所定の位置に取り付けようと近づけていくと、端子５の凸部８が後側壁部１５に接触される（図４に示す状態）。この時、後側壁部１５は滑らかな円弧状に形成されていることにより、所定の位置にキャビネットを水平方向に移動（図４の右方向）させるにつれ、ネジ誤挿入防止部品１の後壁部側１５が可動され、凸部に乗り上げられていく。そして、キャビネット３を所定の位置に移動させ終わると、図５に示すように、凸部８に乗り上げられたネジ誤挿入防止部品１は、自重により元の位置である水平方向に移動される。この時、キャビネット３の孔部４とネジ誤挿入防止部品１の孔１４、さらに、端子５の凸部８に形成されているネジ溝の形成されたネジ孔２０が同一直線状に対向して配置されるから、長さの長い長ネジ２１をキャビネット３の孔部４から挿通させても、ネジ孔２０に対向しているネジ受け凹部１６にその長ネジ２０の先端が突き当たってその進入を止めることができるので、電子機器内２のキャビネット３内に設けられた部品に長ネジ２１が接触されて部品などが破損され故障したり、或いは電子機器２が通電状態であれば、感電などの危険を回避することができる。また、ネジ誤挿入防止部品１は、従来のように電子機器内に設けられた回路基板にこれに相等するバリアを配置するわけではなく、キャビネットに取り付けることができるので、最終組付け工程であるキャビネット３の組み付け時に目視により簡単にネジ誤挿入防止部品１が取り付けられているのか否か確認することができるので、ネジ誤挿入防止部品１の取り付け忘れを防止することできる。さらに、キャビネット３が所定の位置に確実に配置されないと、キャビネット３の孔部４とネジ誤挿入防止部品１の孔１４とが同一直線状に対向して配置されず、すなわち、前側壁部１３が孔部４を塞ぐため、キャビネット３の組み付け作業ができなくなるので、所定の位置にキャビネット３を配置した状態で確実に組み付けることができる。さらに、キャビネット側ではなく端子側で、ネジの誤挿入の対策を行うと、端子を特別に作る必要があるが、上述したようにキャビネットにネジ誤挿入防止部品１を取り付けられるように構成すれば、汎用品である端子を有効に利用することができる。
【００１９】
以上のように上記構成によれば、ネジの誤挿入防止構造を備えた電子機器１は、電子機器２のキャビネット３に形成された孔部４と、この孔部４に挿入されたネジにより固定される端子５とを備え、孔部４に挿通すると共に端子５に形成されたネジ孔２０にネジを螺合させキャビネット３に端子５を固定する電子機器２であって、ネジ孔２０をキャビネット３に取り付けられたネジ誤挿入防止部品１により覆って設けたので、例えば所定の長さより長い長ネジ２１などの長尺物などが、誤ってキャビネット３の孔部４からキャビネット３内に挿入されたとしても、ネジ誤挿入防止部品１に突き当たりその進入を阻止することができると共に、電子機器２を長期間使用しても端子５への埃などの堆積を防止できる。従って、埃の堆積などに伴う漏電等を回避することができると共に電子機器２のキャビネット３内に所定の長さより長いネジなどの進入を防止できるので、故障を軽減させ且つ安全性に優れた電子機器２を提供することができる。さらに、キャビネット３にネジ誤挿入防止部品１を回動自在に枢支すると共にこのネジ誤挿入防止部品１がその自重により水平に配置され、キャビネット３に枢支された側と水平方向の反対側に位置するネジ誤挿入防止部品１の後側壁部１５を滑らかな円弧状に形成させ、電子機器２にキャビネット３を近接させ組み付ける際、滑らかな円弧状をなす後側壁部１５が、キャビネット３内に固定された端子５に接触されるように配置し、キャビネット３の組み付け完了時に、ネジ誤挿入防止部品１が自重により水平に配置されると共に、キャビネット３の孔部４とネジ誤挿入防止部品１の孔１４、及び端子５のネジ孔２０が対向されると共に、ネジ孔２０にネジが螺合されるその延長線上にネジ誤挿入防止部品１の後側壁部１５を配置したものであり、キャビネット３を電子機器２の所定の位置に組み付ける際、キャビネット３に回動自在に枢支されているネジ誤挿入防止部品１の後側壁部１５が端子５に接触されると、自重により水平に配置されているネジ誤挿入防止部品１が可動される。この時、ネジ誤挿入防止部品１の後側壁部１５が滑らかな円弧状に形成されているから、スムーズにネジ誤挿入防止部品１が可動される。そして、電子機器２にキャビネット３の組み付け完了時に、ネジ誤挿入防止部品１が自重により可動され元の位置に戻ると、キャビネット３の孔部４、ネジ誤挿入防止部品１の孔１４、及び端子５のネジ孔２０のそれぞれが対向する。これにより、キャビネット３の孔部４から挿入されたネジがネジ誤挿入防止部品１の孔１４を介して端子５のネジ孔２０に固定することができる。従って、キャビネット３が所定の位置に組み付けられていないと、キャビネット３の孔部４、ネジ誤挿入防止部品１の孔１４、及び端子５のネジ孔２０の夫々が対向した位置に配置されないので、キャビネット３の孔部４からネジが挿入されても、ネジがスムーズに挿入されていかないので、キャビネット３が所定の位置に組み付けられていないことを、いちいち目視によりキャビネット３の組み付け状態を確認することが不要となる。さらに、キャビネット３の孔部４からネジが挿入されネジ孔２０にネジが螺合される際、その延長線上にネジ誤挿入防止部品１の後側壁部１５を配置しているから、キャビネット３の孔部４から所定の長さより長い長ネジ２１や長尺物が挿入されても後側壁部１５に突き当たり、その進入を防止することができる。従って、電子機器２のキャビネット３に備えられた各種電子部品などに長ネジ２１などが接触され、感電などの危険を回避することができる。
【図面の簡単な説明】
【００２０】
【図１】本実施例における電子機器のキャビネットに着脱自在に取り付け可能なネジ誤挿入防止部品であり、図１の（ａ）はその正面図、図１の（ｂ）は左側面図、図１の（ｃ）は背面図、図１の（ｄ）は平面図、図１の（ｅ）は底面図である。
【図２】本実施例におけるキャビネットのリブにネジ誤挿入防止部品が回動自在に枢支されている状態を示す上面図である。
【図３】同上、所定の位置にキャビネットを組み付けしようとする説明図である。
【図４】同上、所定の位置に向かってキャビネットを移動させている状態を示す説明図である。
【図５】同上、所定の位置にキャビネットを組み付けた状態を示す説明図である。
【図６】ネジ誤挿入防止部品の縦断面図である。
【図７】ネジ誤挿入防止部品の側面断面図である。
【図８】同上、所定の位置にキャビネットを組み付け、長ネジが挿入された状態を示す断面図である。
【図９】端子を示す正面図であり、図９（ａ）はＲＣＡピンジャック、図９（ｂ）はＤ端子、図９（ｃ）はＳ端子を示している。
【図１０】従来から用いられている電子機器の概略図である。
【符号の説明】
【００２１】
１  ネジ誤挿入防止部品
２  電子機器
３  キャビネット
４  孔部
５  端子
１４  孔
１５  後側壁部（壁部）
２０  ネジ孔
【図１】
2006046362.tif 000003
【図２】
2006046362.tif 000004
【図３】
2006046362.tif 000005
【図４】
2006046362.tif 000006
【図５】
2006046362.tif 000007
【図６】
2006046362.tif 000008
【図７】
2006046362.tif 000009
【図８】
2006046362.tif 000010
【図９】
2006046362.tif 000011
【図１０】
2006046362.tif 000012